(57)【特許請求の範囲】
【請求項１】
画データを予め設定した転送先の端末装置に転送する転送機能を備えた通信端末装置において、送信画データと受信画データとを異なる転送先の端末装置に転送する制御手段を備えた通信端末装置。
【請求項２】
請求項１に記載の通信端末装置において、制御手段は、送信画データと受信画データとを異なる回線を有する転送先の端末装置に転送する通信端末装置。
【請求項３】
請求項１または請求項２に記載の通信端末装置において、制御手段は、送信画データと受信画データとを異なる回線を有する異なる転送先の端末装置に転送する通信端末装置。
【発明の詳細な説明】
【０００１】
【発明の属する技術分野】
本発明は、複写機能付きファクシミリ装置（以下、複合機という）等に代表される通信端末装置に関し、より詳しくは送受信画データを所定の端末装置に転送するリモートコピー機能を備えた通信端末装置に関するものである。
【０００２】
【従来の技術】
近年の複合機においては、送受信画データを所定の端末装置（例えば、ＦＡＸモデムを有するパソコン等）に転送する、いわゆるリモートコピー機能を備えた複合機がある。このリモートコピー機能によれば、複合機で送受信された画データを予め設定した転送先の端末装置に転送した後、画像メモリに記憶された送受信画データを消去する。
【０００３】
【発明が解決しようとする課題】
しかしながら、送信画データと受信画データとの両画データが、リモートコピー機能によって、同一転送先の端末装置に転送される。このため、大量の送受信を行う複合機にあっては、リモートコピー機能によって、転送先の端末装置にも大量の送受信画データが転送される。その結果、転送先の端末装置には、大量の送信画データと受信画データとが混在することとなる。従って、転送先の端末装置において、混在する送受信画データを管理することが困難であった。
【０００４】
本発明は、このような問題点に着目してなされたものであって、その目的は、転送先の端末装置において管理し易いように送受信画データを転送することが可能な通信端末装置を提供することにある。
【０００５】
【課題を解決するための手段】
上記の目的を達成するために、請求項１に記載の発明では、画データを予め設定した転送先の端末装置に転送する転送機能を備えた通信端末装置において、送信画データと受信画データとを異なる転送先の端末装置に転送する制御手段を備えた。
【０００６】
請求項２に記載の発明では、請求項１に記載の通信端末装置において、制御手段は、送信画データと受信画データとを異なる回線を有する転送先の端末装置に転送する。
【０００７】
請求項３に記載の発明では、請求項１または請求項２に記載の通信端末装置において、制御手段は、送信画データと受信画データとを異なる回線を有する異なる転送先の端末装置に転送する。
【０００８】
【発明の実施の形態】
以下に、本発明に係る通信端末装置を複合機に具体化した一実施形態について図面を用いて説明する。
【０００９】
図１に示すように、複合機１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１０】
ＭＰＵ１０は、複合機１を構成する各部を制御する。ＲＯＭ２０は、複合機１を制御するためのプログラムを記憶する。ＲＡＭ３０は、複合機１に関する各種情報を一時的に記憶する。
【００１１】
読取部４０は、原稿上の画像データを読み取って、白黒２値のイメージデータを出力する。記録部５０は、電子写真方式のプリンタよりなり、受信画データや、コピー動作において読取部４０にて読み取られた原稿の画データを、記録紙上に記録する。
【００１２】
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３、電話番号又はコピー部数等を入力するためのテンキー（＊，＃キーを含む）６４、原稿の読み取り動作を開始させるためのスタートキー６５等の各種操作キーを備えている。ＬＣＤ等よりなる表示部７０は、複合機１の動作状態等の各種情報の表示を行う。
【００１３】
画像メモリ８０は、受信画データや読取部４０で読み取られた画データを一時的に記憶する。コーデック９０は、読取部４０にて読み取られた画データを送信のためにＭＨ，ＭＲ，ＭＭＲ方式等により符号化（エンコード）する。また、コーデック９０は、受信画データを復号（デコード）する。
【００１４】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１５】
次に、複合機１における送受信時の動作について、図２に示すフローチャートを用いて説明する。なお、この動作は、ＲＯＭ２０に記憶されたプログラムに基づき、ＭＰＵ１０の制御により実行される。
【００１６】
ステップＳ１においては、送信であるか否かが判断される。具体的には、ＦＡＸ／コピーキー６１の操作に基づいてＦＡＸに設定され、原稿が読取部４０に載置されるとともに、相手先のＦＡＸ番号が操作部６０の短縮キー６２、ワンタッチキー６３、又はテンキー６４から入力されて、スタートキー６５が操作されたか否かに基づいて、送信であるか否かが判断される。そして、送信である場合は、ステップＳ２に移行する。一方、送信でない場合、つまり受信である場合は、ステップＳ８に移行する。
【００１７】
ステップＳ２においては、読取部４０に載置された原稿が読み取られ、その読み取られた原稿の画データがコーデック９０で符号化された後、画像メモリ８０に記憶される。
【００１８】
ステップＳ３においては、操作部６０の短縮キー６２等から入力された相手先のＦＡＸ番号にＮＣＵ１１０から発呼が行われる。そして、相手先との間の回線が接続されると、画像メモリ８０に記憶している画データがモデム１００で変調されて、相手先に送信される。
【００１９】
ステップＳ４においては、ＮＣＵ１１０により相手先との間の回線が切断される。
ステップＳ５においては、図３に示すように、予め設定されている転送先である第１端末装置ＰＣ１（例えば、ＦＡＸモデムを有するパソコン等）のＦＡＸ番号にＮＣＵ１１０から発呼が行われる。そして、転送先である第１端末装置ＰＣ１との間の回線が接続されると、画像メモリ８０に記憶している画データがモデム１００で変調されて、第１端末装置ＰＣ１に送信される。すなわち、送信画データが第１端末装置ＰＣ１に転送される。
【００２０】
ステップＳ６においては、ＮＣＵ１１０により第１端末装置ＰＣ１との間の回線が切断される。
ステップＳ７においては、画像メモリ８０に記憶していた画データが消去されて、この処理を終了する。
【００２１】
一方、前記ステップＳ１において、受信であると判断した場合は、ステップＳ８において、ＮＣＵ１１０により回線が接続されると、受信画データがモデム１００で復調されて、画像メモリ８０に記憶される。
【００２２】
ステップＳ９においては、ＮＣＵ１１０により相手先との間の回線が切断される。
ステップＳ１０においては、画像メモリ８０に記憶されている受信画データがコーデック９０で復号されて、記録部５０で記録紙に記録される。
【００２３】
ステップＳ１１においては、図３に示すように、予め設定されている転送先である第２端末装置ＰＣ２（例えば、ＦＡＸモデムを有するパソコン等）のＦＡＸ番号にＮＣＵ１１０から発呼が行われる。そして、転送先である第２端末装置ＰＣ２との間の回線が接続されると、画像メモリ８０に記憶している受信画データがモデム１００で変調されて、第２端末装置ＰＣ２に送信される。すなわち、受信画データが第２端末装置ＰＣ２に転送される。
【００２４】
ステップＳ１２においては、ＮＣＵ１１０により第２端末装置ＰＣ２との間の回線が切断される。
ステップＳ１３においては、画像メモリ８０に記憶していた受信画データが消去されて、この処理を終了する。
【００２５】
以上、詳述したように本実施形態によれば、次のような作用、効果を得ることができる。
・複合機１から送信した画データを第１端末装置ＰＣ１に転送している。一方、複合機１で受信した画データを第２端末装置ＰＣ２に転送している。換言すれば、送受信画データを別々の端末装置に転送している。このため、転送先である第１端末装置ＰＣ１には、送信画データのみが記憶される。一方、転送先である第２端末装置ＰＣ２には、受信画データのみが記憶される。その結果、転送先の端末装置において、送信画データと受信画データとが混在することはない。従って、転送先の第１端末装置ＰＣ１及び第２端末装置ＰＣ２において管理し易いように送受信画データを転送することができる。故に、例えば送受信画データを検索する場合であっても、容易に目的の画データを検索することができる。
【００２６】
なお、前記実施形態は、次のように変更して具体化することも可能である。
・送受信時において、正常に画データを送受信できなかった場合は、送受信画データを転送先である第１端末装置ＰＣ１及び第２端末装置ＰＣ２に送信しない構成にしても良い。このように構成すれば、正常に送受信された画データのみが転送先に送信される。換言すれば、正常に送受信されなかった画データが転送先の端末装置に転送されることはない。従って、転送に伴う通信料金を低減することができる。
【００２７】
・ネットワークに接続可能な複合機１においては、ネットワークに接続された第１端末装置ＰＣ１及び第２端末装置ＰＣ２（例えば、パソコンやサーバ等）にそれぞれ送信画データと受信画データとを転送する構成にしても良い。
【００２８】
・送信画データと受信画データとをそれぞれ第１端末装置ＰＣ１及び第２端末装置ＰＣ２に送信することを禁止するための設定キーを操作部６０に設けても良い。このように構成すれば、使用者の使い勝手に応じて、送信画データ、受信画データ、又は送受信画データを、少なくとも第１端末装置ＰＣ１又は第２端末装置ＰＣ２に送信することを禁止することができる。
【００２９】
・前記実施形態における第１端末装置ＰＣ１と第２端末装置ＰＣ２とは、別々の端末装置であっても、２回線を有する同一の端末装置であっても良い。このように構成すれば、同一の端末装置であっても、回線毎に画データを管理することができるため、画データの管理がし易くなる。
【００３０】
さらに、上記実施形態より把握される技術的思想について、以下にそれらの効果と共に記載する。
〔１〕請求項１〜請求項３のいずれか１項に記載の通信端末装置において、少なくとも送信画データ又は受信画データの転送を禁止する設定手段を備えた通信端末装置。このように構成すれば、使用者の使い勝手に応じて、送信画データ、受信画データ、又は送受信画データを端末装置に送信することを禁止することができる。
【００３１】
〔２〕請求項１〜請求項３のいずれか１項に記載の通信端末装置において、制御手段は、正常に送受信された場合にのみ、送受信画データを転送先の端末装置に転送する通信端末装置。このように構成すれば、正常に送受信されなかった画データが転送先の端末装置に転送されることはないため、転送に伴う通信料金を低減することができる。
【００３２】
【発明の効果】
本発明は、以上のように構成されているため、次のような効果を奏する。
請求項１〜請求項３のいずれか１項に記載の発明によれば、転送先の端末装置において管理し易いように送受信画データを転送することができる。
【図面の簡単な説明】
【図１】複合機の構成を示すブロック図。
【図２】送受信時の動作を示すフローチャート。
【図３】複合機と第１及び第２端末装置との関係を示す説明図。
【符号の説明】
１…通信端末装置としての複合機、１０…制御手段を構成するＭＰＵ、２０…制御手段を構成するＲＯＭ、３０…制御手段を構成するＲＡＭ、６０…設定手段としての操作部、ＰＣ１…端末装置としての第１端末装置、ＰＣ２…端末装置としての第２端末装置。
【図１】
0003603824.tif 000002
【図２】
0003603824.tif 000003
【図３】
0003603824.tif 000004